(57)【要約】【課題】スプールのテンション力を調節するテンションナットを、テンション力を緩める方向に回転移動させるときに、使用者の意図に反してテンションナットが分離されて紛失することを防止するテンションナット離脱防止手段を備えた釣りリールを提供する。【解決手段】ナット装着部を備えたフレーム；前記ナット装着部の外周面に螺合され、両方向への回転によってスプールシャフトの軸方向に回転移動して距離を調節することができるように構成されたテンションナット；及び前記テンションナットを前記ナット装着部の一側の端部から緩めて回転移動させるとき、テンションナットがフレームの構造物にかかることによって、ナット装着部から分離されることを防止する離脱防止手段；を含んでなる釣りリール。【選択図】図１
2018121631.tif 000002
【特許請求の範囲】
【請求項１】
スプールの回転力を調節するテンションナットを備えた釣りリールであって、
ナット装着部を備えたフレーム；
前記ナット装着部の外周面に螺合され、両方向への回転によってスプールシャフトの軸方向に回転移動して距離を調節することができるように構成されたテンションナット；及び
前記テンションナットを前記ナット装着部の一側の端部から緩めて回転移動させるとき、テンションナットがフレームの構造物にかかることによって、ナット装着部から分離されることを防止する離脱防止手段；を含んでなり、
前記離脱防止手段は、
前記ナット装着部を取り囲むように前記フレームに結合され、前記テンションナットの他側の端部が内挿される挿入部を有し、
内周面から突設された離脱防止段を備えたキャップ部材と、
前記テンションナットの外周面に備えられ、前記離脱防止段にかかるように突設された離脱防止部と、を含んでなり、
前記離脱防止段は、内周面にネジ部を備え、
前記離脱防止部は、前記ネジ部に噛合可能なネジタップからなり、
前記ネジタップは、前記挿入部内で空回りするように結合されることを特徴とする、釣りリール。
【請求項２】
テンションナットの回転位置を表示するために、前記テンションナットと前記キャップ部材にそれぞれマーキング部を備え、
前記キャップ部材のマーキング部がセットされたテンションナットのマーキング部と一致するように回転させた状態でテンションナットを回転させてテンション力を再びセットして使った後、前記テンションナットのマーキング部が最初にセットされた位置のキャップ部材のマーキング部と一致するように前記テンションナットを回転させて使うことができることを特徴とする、請求項１に記載の釣りリール。
【請求項３】
前記離脱防止部は、Ｏリング又はＣリングからなる離脱防止リングを含んでなることを特徴とする、請求項１に記載の釣りリール。
【請求項４】
前記キャップ部材と前記離脱防止リング間の摩擦力を低減するための摩擦力低減リングを含み、
前記摩擦力低減リングは、前記離脱防止リングの位置移動距離に対応する長方形に形成されたリング形状のチューブ型部材であり、内部に流体が所定圧力で充填された充填部を備え、前記キャップ部材の両側の端部には互いに対称する「Ｌ」字形の装着突起を備え、装着突起の間に前記摩擦力低減リングが挿着され、前記キャップ部材の内周面に摩擦力低減リングが備えられた状態で、離脱防止リングが摩擦力低減リングの内周面に弾力的に接触して支持されることを特徴とする、請求項３に記載の釣りリール。
【請求項５】
スプールの回転力を調節するテンションナットを備えた釣りリールであって、
ナット装着部を備えたフレーム；
前記ナット装着部の外周面に螺合され、両方向への回転によってスプールシャフトの軸方向に回転移動して距離を調節することができるように構成されたテンションナット；及び
前記テンションナットを前記ナット装着部の一側の端部から緩めて回転移動させるとき、テンションナットがフレームの構造物にかかることによって、ナット装着部から分離されることを防止する離脱防止手段；を含んでなり、
前記ナット装着部には、スプールシャフトの軸方向に結合孔が形成され、
前記テンションナットは、内周面に備えられ、テンションナットと一緒に位置移動するが回転せずに固定されており、他側に突設されて前記結合孔に挿入される結合突起を備えた内側プレートを含み、
前記離脱防止手段は、前記結合突起の外側面又は内側面に突設され、前記結合孔の一側の端部にかかるフック部を含んでなることを特徴とする、釣りリール。
【請求項６】
スプールの回転力を調節するテンションナットを備えた釣りリールであって、
ナット装着部を備えたフレーム；
前記ナット装着部の外周面に螺合され、両方向への回転によってスプールシャフトの軸方向に回転移動して距離を調節することができるように構成されたテンションナット；及び
前記テンションナットを前記ナット装着部の一側の端部から緩めて回転移動させるとき、テンションナットがフレームの構造物にかかることによって、ナット装着部から分離されることを防止する離脱防止手段；を含んでなり、
前記離脱防止手段は、
前記ナット装着部の外周面に結合される離脱防止リングと、
前記テンションナットの他側の端部から内側に突設され、前記離脱防止リングにかかる係止端と、を含んでなり、
前記離脱防止リングは、一側の端部から外側に突設され、前記係止端がかかる離脱防止端を含むことを特徴とする、釣りリール。
【請求項７】
前記ナット装着部は、外周面に沿って凹設された結合溝を含み、
前記離脱防止リングは、内側に突出されて前記結合溝に挿合される結合部を含むことを特徴とする、請求項６に記載の釣りリール。
【発明の詳細な説明】
【技術分野】
【０００１】
本発明は、スプールのテンション力を調節するために使われるテンションナットの紛失を防止するため、テンションナット離脱防止手段を備えた釣りリールに関する。より詳しくは、テンションナットをナット装着部の一側の端部から回転移動させるとき、テンションナットがフレームの構造物にかかることによってナット装着部から分離されることを防止するテンションナット離脱防止手段を備えた釣りリールに関する。
【背景技術】
【０００２】
図１０に示したように、一般に釣りリールのフレームの一側にはスプールのシャフトの末端に圧力を加えて、釣り糸が巻かれるとき又は解けるときのスプールのテンション力を調節することにより、スプールが回転する速度を調節するためテンションナットが備えられている。
【０００３】
このようなテンションナットを、ナット装着部の内側方向に締め付ければ、スプールシャフトの両端部に加わる圧力（テンション力）が増加し、増加につれてスプールが回転する速度が低下する。反対に、テンションナットをナット装着部の外側方向に緩めれば、スプールシャフトの両端部に加わる圧力が減少するにつれてスプールが回転する速度が速くなる。
【０００４】
従来の一般的なテンションナットは、一種のキャップ状に形成され、フレームのナット装着部に螺合されているため、テンションナットの回転方向によってナット装着部を軸としてテンションナットが左右に移動しながらスプールシャフトに加わるテンション力を調節する形態に構成されている。
【０００５】
しかし、従来のテンションナットの場合、別途の安全装置がなく、テンションナットがナット装着部に単純に螺合されている形態であるため、使用者の不注意などによってテンションナットがナット装着部から分離されて紛失される問題点がよく発生した。
言い換えれば、スプールのテンション力を強く調節するためにテンションナットを締め付けてフレーム方向に移動させるときにはテンションナットの紛失の危険がないが、スプールのテンション力を弱く調節するためにテンションナットを緩めてフレームの反対方向に移動させる場合、テンションナットを過度に緩めて移動させれば、テンションナットの操作中にテンションナットが容易に分離してしまう。
【０００６】
従って、スプールのテンション力を最大限に減らした状態で釣魚を行っているうちに、テンションナットが接触するとかテンションナットに外部衝撃が加わる場合、使用者の意図に無関係にテンションナットが完全に緩まってナット装着部から分離され、テンションナットを紛失する場合がよく発生する。
【０００７】
特に、一般的なテンションナットには、テンションナットを巻く又は緩めるとき、微細な回転程度を音で容易に確認できるようにクリック音発生手段が内蔵されているが、使用者の間違いで釣魚中にテンションナットを紛失する場合、テンションナットの内部に備えられたクリック音発生手段の構成部品まで分離されて紛失される危険性がある。又、テンションナットが分離された状態で釣魚を続ける場合、ナット装着部を通じて水気又は水分がフレームの内部に容易に流入することができるので、これによってフレームの内部に複雑に備えられた各種のギア及び／又は軸の連結構造などに誤作動ないし故障が発生し得る。
【０００８】
参考として、このようなテンションナットに関連した従来技術は、大韓民国登録特許第１０−１２１８３１５号公報、大韓民国公開実用新案第２０−２０１１−０００５４００号公報、大韓民国登録特許第１０−１１８５１０３号公報などに開示されている。
【先行技術文献】
【特許文献】
【０００９】
【特許文献１】大韓民国登録特許第１０−１２１８３１５号公報
【特許文献２】大韓民国公開実用新案第２０−２０１１−０００５４００号公報
【特許文献３】大韓民国登録特許第１０−１１８５１０３号公報
【発明の概要】
【発明が解決しようとする課題】
【００１０】
従って、本発明は前記のような問題点を解決するためになされたもので、釣魚中に使用者の意図に反してテンションナットが分離されて紛失されることを防止するために、テンションナットをフレームの反対側へナット装着部の一側の端部から回転移動させるとき、テンションナットがフレームの構造物にかかることによって、ナット装着部から分離されることを防止することができるテンションナット離脱防止手段を備えた釣りリールを提供することを目的とする。
【００１１】
特に本発明は、別途のキャップ部材、クリック音発生手段の内側プレートに備えられたフック部又はナット装着部の外周面に備えられる離脱防止リングなどの釣りリールの詳細構成により、テンションナット離脱防止手段を多様な形態に具現して、製造の容易性の確保したり、製造コストの節減を図ることができるテンションナット離脱防止手段を備えた釣りリールを提供することを他の目的とする。
【課題を解決するための手段】
【００１２】
上記の目的を達成するために、本発明の釣りリールは、
スプールの回転力を調節するテンションナットを備えた釣りリールであって、
ナット装着部を備えたフレーム；
前記ナット装着部の外周面に螺合され、両方向への回転によってスプールシャフトの軸方向に回転移動して距離を調節することができるように構成されたテンションナット；及び
前記テンションナットを前記ナット装着部の一側の端部から緩めて回転移動させるとき、テンションナットがフレームの構造物にかかることによって、ナット装着部から分離されることを防止する離脱防止手段；
を含んでなることを特徴とする。
【００１３】
又、本発明の釣りリールにおいて、前記離脱防止手段は、
前記ナット装着部を取り囲むように前記フレームに結合され、前記テンションナットの他側の端部が内挿される挿入部を有し、
内周面から突設された離脱防止段を備えたキャップ部材と、
前記テンションナットの外周面に備えられ、前記離脱防止段にかかるように突設された離脱防止部と、を含んでなることを特徴とする。
【００１４】
又、本発明の釣りリールにおいて、前記離脱防止段は、
Ｏリング又はＣリングからなる離脱防止リングを含んでなることを特徴とする。
【００１５】
又、本発明の釣りリールにおいて、
前記離脱防止段は内周面にネジ部を備え、
前記離脱防止部は、前記テンションナットの外周面に備えられ、前記ネジ部に噛合可能なネジタップからなり、
前記ネジタップは、前記離脱防止段のネジ部に螺合されずに前記挿入部内で空回りするように結合されることを特徴とする。
【００１６】
又、本発明の釣りリールにおいて、
前記ナット装着部には、スプールシャフトの軸方向に結合孔が形成され、
前記テンションナットは、内周面に備えられ、テンションナットと一緒に移動し、他側に突設されて前記結合孔に挿入される結合突起を備えた内側プレートを含み、
前記離脱防止手段は、前記結合突起の外側面又は内側面に突設され、前記結合孔の一側の端部にかかるフック部を含んでなることを特徴とする。
【００１７】
又、本発明の釣りリールにおいて、前記離脱防止手段は、
前記ナット装着部の外周面に結合される離脱防止リングと、
前記テンションナットの他側の端部から内側に突設され、前記離脱防止リングにかかる係止端と、を含んでなることを特徴とする。
【００１８】
又、本発明の釣りリールにおいて、前記離脱防止リングは、一側の端部から外側に突設され、前記係止端がかかる離脱防止端を含むことを特徴とする。
【００１９】
又、本発明の釣りリールにおいて、
前記ナット装着部は、外周面に沿って凹設された結合溝を含み、
前記離脱防止リングは、内側に突出されて前記結合溝に挿合される結合部を含む
ことを特徴とする。
【発明の効果】
【００２０】
本発明によるテンションナット離脱防止手段を備えた釣りリールは、スプールの回転力を最大限に調節するためにテンションナットをナット装着部の一側の方向に回転移動させても、別途のキャップ部材、内側プレート又は離脱防止リングのような多様な形態のフレーム構造物にテンションナットがかかることにより、テンションナットが分離されることがなくその離脱が防止される。従って、釣魚中に使用者の意図と無関係にテンションナットが分離されて紛失されることを防止できる効果がある。又、テンションナット離脱防止手段を、釣りリールの詳細構成によって多様で容易に適用することができるので、釣りリールの製造の容易性の確保及び製造単価の節減を可能にする効果がある。
【図面の簡単な説明】
【００２１】
【図１】本発明の第１実施例による釣りリールの平面図及び要部拡大断面図である。
【図２】本発明による第１実施例の変形例を示す要部拡大断面図である。
【図３】本発明による第１実施例の変形例を示す要部拡大断面図である。
【図４】本発明による第１実施例の変形例を示す要部拡大断面図、平面図及び側面図である。
【図５】本発明の第２実施例による釣りリールの平面図及び要部拡大断面図である。
【図６】本発明による第２実施例の変形例を示す要部拡大断面図である。
【図７】本発明の第３実施例による釣りリールの平面図及び要部拡大断面図である。
【図８】本発明による第３実施例の変形例を示す要部拡大断面図である。
【図９】本発明の摩擦低減手段を示す要部拡大断面図である。
【図１０】従来のテンションナット構造を説明するための釣りリールの平面図及び要部拡大断面図である。
【発明を実施するための形態】
【００２２】
本発明には多様な変更を加えることができ、いろいろの形態を有することができる。これから、具現例（態様、ａｓｐｅｃｔ）、（又は実施例）を本文に詳細に説明するが、これは本発明を特定の開示形態に限定しようとするものではなく、本発明の範囲には、本発明の思想及び技術範囲に含まれるすべての変更、均等物ないし代替物が含まれると理解しなければならない。
【００２３】
各図において同一の参照符号、特に十の桁及び一の桁、又は十の桁、一の桁及びアルファベットが同じ参照符号は同一又は類似の機能を有する部材を示し、特に言及がない場合、図面の各参照符号が指称する部材はこのような基準に準ずる部材に把握すれば良い。
又、各図において、構成要素は理解の便宜上サイズや厚さを誇張して大きく（又は厚く）あるいは小さく（又は薄く）表現するとか単純化して表現しているが、これによって本発明の保護範囲が制限されて解釈されてはならない。
【００２４】
本明細書で使用した用語はただ特定の具現例（態様、ａｓｐｅｃｔ）、（又は実施例）を説明するために使用されたもので、本発明を限定しようとする意図ではない。単数の表現は文脈上特に明記しない限り、複数の表現を含む。
本出願において、「含む」又は「なる」などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解されなければならない。
【００２５】
特に定義がない限り、技術的ないし科学的な用語を含み、ここで使われる全ての用語は本発明が属する技術分野で通常の知識を有する者によって一般的に理解されるものと同一の意味を持っている。一般的に使われる辞書に定義されているような用語は関連技術が文脈上有する意味と一致する意味を有するものに解釈され、本出願において明らかに定義しない限り、理想的なあるいは過度に形式的な意味に解釈されない。
【００２６】
本明細書で記述する〜第１〜、〜第２〜などは互いに異なる構成要素を区分するためだけのものであり、製造手順を限定するものではなく、発明の詳細な説明及び特許請求範囲でその名称が一致しないこともあり得る。
【００２７】
本発明によるテンションナット離脱防止手段を備えた釣りリールの説明において、便宜上の理由で厳密ではない概略の方向基準を図１を参照して特定すれば、重力が作用する方向を下側にし、見える方向を基準に上下左右を決定し、サイドカバーが露出する方向を外側にして内外側を特定して説明し、他の図に基づく発明の詳細な説明及び請求範囲でも、他に特別な言及がない限り、この基準に従って方向を特定して記述する。
【００２８】
以下では、本発明のテンションナット離脱防止手段を備えた釣りリールを、添付図面に基づいて説明する。
【００２９】
本発明はスプール１１の回転力を調節するテンションナット２０を備えた釣りリールに関するものである。本発明の第１実施例についての図である図１、図２、図３及び図４、本発明の第２実施例についての図である図５及び図６、本発明の第３実施例についての図である図７及び図８に示されているように、本発明は、大別すると、スプール１１が装着されるフレーム１０、前記フレーム１０の一側サイドカバー１４に備えられて前記スプール１１の回転力を調節するテンションナット２０及び前記スプール１１の回転力を最大値に調節するように前記テンションナット２０を回転移動させたときに前記テンションナット２０が分離されることを防止する離脱防止手段３０を含む。
【００３０】
前記フレーム１０は中央にスプール装着部が設けられており、スプール装着部の両側サイドカバーにスプール１１のシャフト１２の両端が軸設され、ハンドル１３の作動によってシャフト１２に結合されたスプール１１が前後に回転することにより、スプール１１に巻かれている釣り糸が解ける又はスプール１１に釣り糸が巻かれるようになっている。
このようなスプール１１では、シャフト１２の一側の端部に加わる圧力（テンション力）を加減することによりスプール１１の回転力が調節される。
【００３１】
ここで、スプール１１の回転力、すなわちスプールシャフト１２に対するテンション力を調節するのに使われるものがまさにテンションナット２０である。前記テンションナット２０は、内周面にネジ部が備えられ、これがフレーム１０に備えられたナット装着部１６の外周面に備えられたネジ部に螺合され、テンションナット２０を両方向に回転することにより、テンションナット２０がスプールシャフト１２の軸方向に回転移動するように構成されている。
【００３２】
すなわち、テンションナット２０をナット装着部１６の一側の端部（フレーム１０の外側）に回転移動するように緩めると、スプールシャフト１２の一側の端部が軸設されたベアリング１２ａに加わる圧力が減少し、減少することによってスプール１１の回転力が増加する。
反対に、テンションナット２０をナット装着部１６の他側の端部（フレーム１０の内側）に回転移動するように締め付ければ、ベアリング１２ａに加わる圧力が増加してスプール１１の回転力が減少する。
【００３３】
ここで、本発明による釣りリールでは、前記テンションナット２０の内部にテンションナット２０を回転させるときにクリック音を発生させるクリック音発生手段が備えられてもよい。この場合、サイドカバー１４にベアリング１２ａを支持する別途のメタル１５が結合され、前記メタル１５の外周面にネジ部が形成されてナット装着部１６として機能するようにしてもよい。
【００３４】
前記のような構造の釣りリールにおいて、従来のテンションナット２０は、図１０に示したように、ナット装着部１６に単純に螺合される構造に構成されているため、スプール１１の回転力を最大値に増加して調節するようにテンションナット２０を緩めれば、テンションナット２０がナット装着部１６から完全に分離される。
従って、従来のテンションナット２０の場合、テンションナット２０が分離される直前までテンションナット２０を緩めて釣魚を行えば、釣魚中に接触又は振動などによってテンションナット２０が意図に反して緩まって分離されて紛失される危険性がある。
【００３５】
それで、本発明は、前記テンションナット２０をナット装着部１６の一側の端部から回転移動させるとき、テンションナット２０がフレーム１０の構造物にかかることによって、ナット装着部１６から分離されることを防止するテンションナット離脱防止手段３０を導入した。
ここで、フレーム１０の構造物とは、テンションナット２０が緩まるときにテンションナット２０と物理的に接触してかかるように、フレーム１０に固定された別途の部品（又はフレーム１０の一部）を全て包括する概念のもので、以下ではこれに係わる実施例をより具体的に説明する。
【００３６】
まず、図１及び図２に基づいて第１実施例を説明する。
【００３７】
第１実施例として、本発明による離脱防止手段３０は、前記ナット装着部１６を取り囲むように前記フレーム１０に結合され、前記テンションナット２０の他側の端部が内挿される挿入部を有し、内周面に突設された離脱防止段３１ａを備えたキャップ部材３１と、前記テンションナット２０の外周面に備えられ、前記離脱防止段３１ａにかかる離脱防止部とを含んでなる。
まず、前記キャップ部材３１は、メタル１５の外周面を取り囲むように構成されるもので、テンションナット２０はメタル１５とキャップ部材３１間の空間である挿入部に内挿される方式でナット装着部１６に螺合される。
そして、キャップ部材３１の内周面には、一側の端部に離脱防止段３１ａが内側に折り曲げられて形成されている。
【００３８】
又、前記離脱防止部は、前記テンションナット２０の外周面に結合され、前記離脱防止段３１ａにかかるように突出したＯリング又はＣリングからなる離脱防止リング３２、３３からなる。
前記テンションナット２０の外周面には、他側の端部に結合溝が設けられ、この結合溝に離脱防止リング３２、３３が挿合され、離脱防止段３１ａを備えたキャップ部材３１と離脱防止リング３２、３３が互いに係止される構造を有する離脱防止手段３０が構成されている。
【００３９】
従って、テンションナット２０を締め付けるとき又は緩めるとき、テンションナット２０の外周面に密着して固定された状態の離脱防止リング３２、３３がナット装着部１６の外周面に沿ってテンションナット２０と一緒に位置移動し、スプール１１の回転力を最大値に調節するためにテンションナット２０を緩めたとき、離脱防止リング３２、３３が離脱防止段３１ａにかかることにより、テンションナット２０がナット装着部１６から分離することを防止することができる。
【００４０】
図１の右側拡大断面図及び図２の［Ａ］に示した離脱防止リング３２は、所定の弾性力を有する可撓性素材（ゴムなど）から完全なリング形状になったＯリングである。
Ｏリングからなる離脱防止リング３２の場合、キャップ部材３１とテンションナット２０の間に介装されて水密性を保障するとともに、テンションナット２０が緩まるときにＯリングが離脱防止段３１ａにかかることによってテンションナット２０の分離を防止する。
【００４１】
このようなＯリングは、キャップ部材３１がサイドカバー１４に結合された状態で、Ｏリングが結合されたテンションナット２０をナット装着部１６に螺合することにより、Ｏリングが素材自体の弾性力を用いてキャップ部材３１の内部に締まりばめされる。釣りリールの維持補修などのためにテンションナット２０の分離が必要な場合は、テンションナット２０を強制的に緩めれば、Ｏリングが離脱防止段３１ａから離脱してテンションナット２０が分離される。
【００４２】
図１の右側拡大断面図に示したキャップ部材３１は、メタル１５の外周面に突設された固定端１５ａを用いてメタル１５をサイドカバー１４に結合するとき、キャップ部材３１を一緒に結合して固定した後、その上にテンションナット２０を螺合して組み立てる形態である。図２の［Ａ］に示したキャップ部材３１は、メタル１５のネジ部１５ｂを用いてキャップ部材３１をメタル１５に先に組み立てた後、その上にテンションナット２０を螺合して組み立てる形態である。
【００４３】
このように、キャップ部材３１の組立を先行した後にテンションナット２０が組み立てられる構造の場合、Ｏリングで離脱防止リング３２を構成して組立性を向上させることができる。
又、図４の［Ａ］に示したキャップ部材３１は図１と類似した構造のもので、メタル１５の外周面に固定端１５ａに代わってＯリング２４を介装して水密性を保障するとともにキャップ部材３１の自由回転を可能にした形態である。
又、図２の［Ｂ］、［Ｃ］に示した離脱防止リング３３は、所定の弾性力を有する金属素材（細鉄線など）からなり両端が分離されたリング形状のＣリングである。
【００４４】
Ｃリングからなる離脱防止リング３３の場合、メタル１５の外周面に固定されたＯリング（図示せず）によってナット装着部１６に対する水密性を保障し、Ｃリング（離脱防止リング３３）はテンションナット２０と一緒に位置移動してテンションナット２０の分離を防止する。
【００４５】
図２の［Ｂ］に示したキャップ部材３１は、ナット装着部１６とは別にメタル１５の外周面にネジ部１５ｃが突設され、メタル１５のナット装着部１６にテンションナット２０を先に螺合した後、その上にキャップ部材３１を被せるように螺合して組み立てられる形態（反対の手順で組立可能）である。
図２の［Ｃ］に示したキャップ部材３１は、ボルト１５ｄによってキャップ部材３１がサイドカバー１４に固定されるものである。この場合にも、メタル１５のナット装着部１６にテンションナット２０を先に螺合した後、その上にキャップ部材３１を被せるようにボルト結合して組み立てられる（反対の手順で組立可能）形態である。
このように、キャップ部材３１及びテンションナット２０の組立順に無関係にキャップ部材３１の組立が可能な構造の場合、Ｃリングから離脱防止リング３３を構成することができる。
【００４６】
もちろん、本発明は、離脱防止リング３２、３３とキャップ部材３１の離脱防止段３１ａを用いてテンションナット２０の分離を防止することが主目的の一つであるので、前記キャップ部材３１の組立方式又は手順などに合うようにＯリング又はＣリングを適切に選択することができるのは自明である。従って、このようなキャップ部材３１の具体的な結合構造又は離脱防止リング３２、３３としてＯリング又はＣリングの選択などによって本発明の権利解釈が制限されてはならない。
【００４７】
この一例として、図２の［Ｄ］には離脱防止リング３２（Ｏリング）を用いたさらに他の変形例が示されている。図２の［Ｄ］に示したキャップ部材３４は、キャップ部材３４が別に分離されず、サイドカバー１４に一体に連結され、一体型キャップ部材３４の端部に離脱防止段３４ａが備えられている形態である。
【００４８】
又、図３に示したように、前記離脱防止段３１ａは内周面にネジ部（図示せず）を備え、前記離脱防止部は前記ネジ部に噛合可能なネジタップ３９からなり、前記ネジタップ３９が前記挿入部内で空回りするように結合されることもできる。
【００４９】
すなわち、テンションナット２０とキャップ部材３１にそれぞれ互いに対応して噛み合うように突出したネジ部（離脱防止段３１ａ）とネジタップ３９が形成され、ネジタップ３９がキャップ部材３１の内部で螺合せずに空回りするように構成されている。
【００５０】
従って、平常の使用中には、ネジタップ３９（すなわち、テンションナット２０）がキャップ部材３１に螺合されていないから、テンションナット２０を締め付けるとか緩めれば、ネジタップ３９が一緒に回転しながら自由移動し、スプール１１の回転力を最大値に調節するためにテンションナット２０を緩めれば、ネジタップ３９が離脱防止段３１ａのネジ部にかかることによってテンションナット２０の分離を防止する。
【００５１】
このような図３の離脱防止手段３０は、キャップ部材３１とは別にテンションナット２０を強制的に分離させることができるようにするためである。
すなわち、釣魚中に海水の浸湿などによって、メタル１５及び／又はキャップ部材３１が腐食するとか塩分による固着が発生してキャップ部材３１が分離されないことがあり得る。この時、釣りリールの整備などのためにテンションナット２０の分離が必要な場合、テンションナット２０を外側に強制的に引っぱりながら回転させれば、ネジタップ３９が離脱防止段３１ａのネジ部に噛み合いながら緩まることによってテンションナット２０を分離することができる。
【００５２】
一方、図４の［Ａ］のように、キャップ部材３１の自由回転が可能な場合、図４の［Ｂ］、［Ｃ］に示したように、テンションナット２０とキャップ部材３１にそれぞれマーキング部２０ｍａ、２０ｍｂ、３１ｍを形成してテンションナット２０の回転位置を表示することができる。
従って、釣り糸に使うルアーを連結した後、テンションナット２０を回転させてルアーに合うテンション力をセットして釣魚を行い、ルアーの交替が必要な場合、キャップ部材３１のマーキング部３１ｍがセットされたテンションナット２０のマーキング部２０ｍａと一致するように回転させた状態で、ルアーを取り替えた後、これに合うようにテンションナット２０を回転させてテンション力をさらにセットして使い、釣魚中、以前に使ったルアーに再び取り替える場合、テンションナット２０のマーキング部２０ｍａが最初にセットされた位置のキャップ部材３１のマーキング部３１ｍと一致するように、テンションナット２０を回転させて使えば、ルアーを取り替える度にテンション力を再調節する必要なしに直ぐに釣魚が可能となり、使用が便利である。
【００５３】
ここで、図面にはテンションナット２０の外周面及び上面とキャップ部材３１の外周面にそれぞれ、マーキング部２０ｍａ、２０ｍｂ、３１ｍが設けられた形態が示されているが、マーキング部の位置又は形態などに制限はなく、キャップ部材３１のマーキング部３１ｍを用いてテンションナット２０の回転位置を表示することができる形態であれば充分である。
【００５４】
次に、図５及び図６に基づいて本発明の第２実施例を説明する。
【００５５】
第２実施例の説明に先立ち、前述したように、本発明のテンションナット２０の内部にはクリック音発生手段が備えられる。
このようなクリック音発生手段は、テンションナット２０と一緒に回転移動するようにテンションナット２０の内部にクリックホルダー（図示せず）で固定されるクリックスプリング２１と、テンションナット２０と一緒に位置移動するが回転せずに固定された内側プレート２２とからなり、内側プレート２２が接するクリックスプリング２１の内側面には突出部２１ａが突設され、クリックスプリング２１が接する内側プレート２２の外側面には円周方向に沿って凹凸部２２ａが設けられ、前記突出部２１ａが前記凹凸部２２ａに弾力的に接触するように構成されている。テンションナット２０によってクリックスプリング２１が一緒に回転する過程で弾性力によって突出部２１ａが前記凹凸部２２ａを継続して打撃し、この過程で特定音のクリック音が発生する（これに関連した詳細な構成は本発明の出願人に登録された大韓民国登録特許第１０−１２１８３１５号公報を参照）。
従って、本発明は前記内側プレート２２によって離脱防止手段３０の係止構造が形成されるようにした。
【００５６】
これを用いた第２実施例として、図５の右側拡大断面図及び図６の拡大断面図に示したように、前記ナット装着部１６にはスプールシャフト１２の軸方向に結合孔１６ａが形成され、前記テンションナット２０は、内周面に備えられてテンションナット２０と一緒に移動し、他側に突設されて前記結合孔１６ａに挿入される結合突起２３を備えた内側プレート２２を含み、前記離脱防止手段３０は、前記結合突起２３の外側面又は内側面に突設されて前記結合孔１６ａの一側の端部にかかるフック部３５、３６からなる。
すなわち、テンションナット２０と一緒にナット装着部１６に沿って位置移動する内側プレート２２の結合突起２３にフック部３５、３６が形成されるので、スプール１１の回転力を最大値に調節するためにテンションナット２０を緩めたとき、フック部３５が結合孔１６ａの端部にかかることにより、テンションナット２０がナット装着部１６から分離されることを防止することができる。
【００５７】
図５の右側拡大断面図には、フック部３５が結合突起２３の内側面端部に突設され、結合孔１６ａの端部にＣリング１６ｂが備えられ、フック部３５がＣリングにかかる形態が示されている。
図６の拡大断面図には、フック部３６が結合突起２３の外側面端部に突設され、結合孔１６ａの端部にＯリング１６ｃ又はＣリング１６ｄが備えられることにより、フック部３６がＯリング又はＣリングにかかる形態が示されている。
もちろん、図５の右側拡大断面図のような構造においてＣリングの代わりにＯリングを使うことができる。
【００５８】
ここで、本明細書ではテンションナット２０内部のクリック音発生手段として備えられる内側プレート２２を用いる第２実施例の構造を説明したが、場合によってクリック音発生手段ではない、テンションナット２０の分離防止のために内側プレート２２のみが単独で追加的に構成される形態も可能である。
【００５９】
次に、図７及び図８に基づいて本発明の第３実施例を説明する。
【００６０】
本発明の第３実施例において、離脱防止手段３０は、前記ナット装着部１６の外周面に結合される離脱防止リング３７と、前記テンションナット２０の他側の端部から内側に突設されて前記離脱防止リング３７にかかる係止端３８とからなる。
すなわち、図１０に示すように、テンションナット２０とメタル１５間の水密性確保のために、ナット装着部１６にＯリング２４を固定して結合するとともに、図７及び図８に示すように、テンションナット２０の内周面に係止端３８が形成されることで、スプール１１の回転力を最大値に調節するためにテンションナット２０を緩めたとき、係止端３８が離脱防止リング３７にかかることにより、テンションナット２０がナット装着部１６から分離されることを防止することができる。
【００６１】
図７の右側拡大断面図に示した離脱防止リング３７は、一側の端部から外側に突設された離脱防止端３７ａを備え、前記係止端３８が離脱防止端３７ａにかかる構造が示されている。
【００６２】
図８の拡大断面図には、ナット装着部１６の外周面に沿って結合溝が凹設され、離脱防止リング３７の他側の端部から内側に突出した結合部３７ｂが前記結合溝に結合されることにより、前記係止端３８が結合部３７ｂの外側の端部にかかる構造が示されている。
【００６３】
ここで、離脱防止リング３７は、一般的なＯリングのように所定の弾性力を有する可撓性素材から製作され、離脱防止リング３７がメタル１５に設けられた結合溝に結合された後、その上にテンションナット２０を螺合しながら、離脱防止端３７ａが係止端３８の内側に締まりばめされるように組み立てられる。
このような離脱防止リング３７によって水密性の保障及びテンションナット２０の分離防止を同時に達成することができる。
【００６４】
又、図面に示されていないが、図７及び図８の離脱防止リング３７がテンションナット２０に固定結合され、メタル１５の外周面に離脱防止リング３７が挿入される結合溝の幅が離脱防止リング３７の厚さより広く形成されることにより、離脱防止リング３７がテンションナット２０と一緒に回転移動することができる。この場合、結合溝に拘束された離脱防止リング３７によってテンションナット２０の分離が防止される。必要により、スプール１１の回転力を最大値に調節した状態でテンションナット２０を強制的に回転させてさらに緩めれば、素材の弾性力によって離脱防止リング３７が圧縮されながら結合溝から離脱してからナット装着部１６を通過することにより、テンションナット２０と離脱防止リング３７を一緒に分離させることができる。
【００６５】
一方、本発明による第１実施例においては、キャップ部材３１の内周面にＯリングからなる離脱防止リング３２が密着して水密性を保障する。ここで、キャップ部材３１と離脱防止リング３２間の摩擦力が増加する場合、すなわち離脱防止リング３２が圧縮されて接触面積が増加する場合、テンションナット２０を締め付けるとき又は緩めるとき、摩擦力によって離脱防止リング３２が一緒に位置を移動することができなくてテンションナット２０から分離することもあり得る。このように離脱防止リング３２が分離されれば、前記離脱防止手段３０としての機能を喪失することになる。
よって、本発明の一形態として、前記キャップ部材３１と前記離脱防止リング３２間の摩擦力を低減することができる摩擦力低減リング４０を導入することもできる。
【００６６】
図９に示したように、前記摩擦力低減リング４０は内部に気体又は液体（以下、単に流体という）が所定圧力で充填された充填部４１を備えたリング形状のチューブ形部材で、キャップ部材３１の内周面に摩擦力低減リング４０が備えられた状態で、離脱防止リング３２が摩擦力低減リング４０の内周面に弾力的に接触して支持される。
すなわち、前記摩擦力低減リング４０は、その断面が離脱防止リング３２の位置移動距離に対応する長方形に形成されたチューブ形リング部材であり、内部の充填部４１には一定圧力の下で摩擦力低減リング４０の形状が変化することができるようにする流体が充填されている。
【００６７】
そして、摩擦力低減リング４０の装着のために、キャップ部材３１の両側の端部には互いに対称する「Ｌ」字形の装着突起３１ｂが備えられ、装着突起３１ｂの間に摩擦力低減リング４０が挿着される。
このような摩擦力低減リング４０を導入すれば、充填部４１内の流体圧力によって、離脱防止リング３２は摩擦力低減リング４０と弾力的に接触するので、離脱防止リング３２に密着による形状変位が発生せず、摩擦力低減リング４０自体の形状のみが変化しながら離脱防止リング３２を転がり支持する方式で相互間の接触がなされる。
【００６８】
すなわち、離脱防止リング３２そのものの形状変化なしに、離脱防止リング３２が接触する摩擦力低減リング４０の一部領域のみが圧縮しながら残りの領域が脹れ上がる方式で離脱防止リング３２と摩擦力低減リング４０が互いに密着する。
【００６９】
このように接触した状態では、離脱防止リング３２と摩擦力低減リング４０の密着によって水密性を確保することができ、テンションナット２０によって離脱防止リング３２の位置が移動する場合、充填部４１の内部圧力の維持によって、摩擦力低減リング４０の圧縮した部位が一緒に移動（すなわち、離脱防止リング３２によって摩擦力低減リング４０の形状が変化する）しながら離脱防止リング３２を（移動する方向の）内側に押し付ける（すなわち、弾支する）効果が発生し、離脱防止リング３２と摩擦力低減リング４０の接触面積最小化及び移動方向に対する弾支によって相互間の摩擦力を最小化させることにより、離脱防止リング３２の位置が円滑に移動することになるものである。
【００７０】
図面に示されていないが、このような摩擦力低減リング４０は、第１実施例の離脱防止リング３３、第２実施例のＯリング１６ｃ又はＣリング１６ｂ、１６ｄ、第３実施例の離脱防止リング３７に備えられた離脱防止端３７ａなどのように、リングと他の部材が互いに接触した状態で、一方が位置移動する全ての部位（例えば、キャップ部材３４、テンションナット２０など）に適用することができる。
【００７１】
以上の本発明の説明において、添付図面に基づいて特定の形状及び構造を有するテンションナット離脱防止手段を備えた釣りリールを主として説明したが、本発明は当業者によって多様な修正、変更及び置換が可能であり、このような修正、変更及び置換は本発明の保護範囲に属するものに解釈されなければならない。
【符号の説明】
【００７２】
１０              フレーム
１１              スプール
１２              シャフト
１３              ハンドル
１４              サイドカバー
１５              メタル
１６              ナット装着部
２０              テンションナット
２１              クリックスプリング
２１ａ            突出部
２２              内側プレート
２２ａ            凹凸部
２３              結合突起
２３ａ            フック部
２０ｍａ、２０ｍｂ、３１ｍ    マーキング部
３０              離脱防止手段
３１、３４        キャップ部材
３１ａ、３４ａ    離脱防止段
３２、３３、３７  離脱防止リング
３７ａ            離脱防止端
３７ｂ            結合部
３５、３６        フック部
３８              係止端
３９              ネジタップ
４０              摩擦低減リング
４１              充填部
【図１】
2018121631.tif 000003
【図２】
2018121631.tif 000004
【図３】
2018121631.tif 000005
【図４】
2018121631.tif 000006
【図５】
2018121631.tif 000007
【図６】
2018121631.tif 000008
【図７】
2018121631.tif 000009
【図８】
2018121631.tif 000010
【図９】
2018121631.tif 000011
【図１０】
2018121631.tif 000012